(57)【要約】  内針をロックさせるためにキャップを前進させた場合、内針が前進するおそれのない複合針を開発する。  基端に筒状基部を有する外針と、筒状基部の後端から挿入して前記外針の先端部から突出させる内針を有する複合針で、軸方向中間部の外周面に形成されたフランジ部よりも前方に挿入部を形成し、後端部に、後側ほど外径が小さくなるテーパ面と、筒壁が軸方向に切断されたスリットを有するロック部材の挿入部を筒状基部に後方から挿入する。キャップを回して先端側に進出させると、前記ロック部材のテーパ面が前記キャップのテーパ凹部に入り込んで該テーパ面が形成されている部分の挿通孔を縮径し挿通した内針を締め付けてロック状態となるが、ロック部材はフランジ部が筒状基部の後端面に当接して前進することがないので、内針が意に反して前進してしまうことがない。
2010116493.tif 000002
【特許請求の範囲】
【請求項１】
基端に筒状基部を有する外針と、該筒状基部の後端から挿入して前記外針の先端部から突出させる内針を有する複合針において、
内針を挿通する挿通孔が軸方向に形成された筒状をなし、その軸方向中間部の外周面に形成されたフランジ部よりも前方の挿入部が前記筒状基部に後方から挿入され、後端部に、後側ほど外径が小さくなるテーパ面と、筒壁が軸方向に切断されたスリットを有するロック部材と、
筒状をなし、前端部内周面に前記筒状基部の後端部外周面に形成された螺条と螺合する螺条が形成され、後端部に内針を挿通する挿通孔を有すると共に、前記ロック部材のテーパ面に対応するテーパ面が形成されたテーパ凹部を有するキャップを有し、
前記キャップを回して先端側に進出させると、前記ロック部材のテーパ面が前記キャップのテーパ凹部に入り込んで該テーパ面が形成されている部分の挿通孔を縮径し挿通した内針を締め付けてロックし、前記キャップを反対方向に回して後退させると、前記キャップのテーパ凹部が前記ロック部材のテーパ面に対して後退して前記ロック部材の挿通孔が拡径し内針のロックが解除されることを特徴とする複合針。
【請求項２】
前記ロック部材の挿入部の外周面と、前記筒状基部の前記挿入部が挿入される内周面が、共に、前側ほど径が小さくなるテーパ状となっている請求項１に記載の複合針。
【請求項３】
前記スリットが前記フランジ部にも形成されている請求項１又は２に記載の複合針。
【発明の詳細な説明】
【技術分野】
【０００１】
本発明は、脊髄麻酔などに使用される複合針に関する。
【背景技術】
【０００２】
脊髄麻酔などを行う場合、注射針は細いものを使用した方が手術後の頭痛が軽減されるが、細い注射針のみを体内に差し込むと注射針が折れてしまうおそれがある。そこで、先ず外針を体内に差し込み、その後細い内針を外針の内部を通して体内の所定の位置まで差し込み、内針の基端側から注射筒で麻酔液を注入するのである。当初この種の複合針は、内針を外針に対して固定できる手段を有していなかった。【０００３】
当初のこの種の複合針は内針を外針に対して固定できる手段を有していないので、外針の中を通して内針をその先端が麻酔する位置に達するまで挿入しても、患者の体の動きや、内針の基端に注射筒を接続する作業によって、内針先端の位置がずれてしまい、麻酔が思うように効かなかったり、麻酔液が無駄になってしまう場合があった。【０００４】
このような課題を解決するため、下記特許文献１に示す複合針が提案されている。これは、外針の基端に筒状基部を有し、筒状基部の後端から先端方向に向けて内部に内針を挿通する複合針で、内側に先端側ほど径が細くなるテーパ部が形成された外針基端の筒状基部の内部に、後端方向から、先細りのテーパ状をなし軸方向のスリットが形成された先端部を有する筒状キャップを軸方向に進退自在に装着し、筒状キャップを先端側に進出させると、筒状キャップの先端部が前記筒状基部内側のテーパ部に入り込んで縮径し、挿通した内針を締め付けてロックし、筒状キャップを後退させると先端部が筒状基部内側のテーパ部から後退して拡径し、内針のロックが解除されるものである。
【先行技術文献】
【特許文献】
【０００５】
【特許文献１】特開２００１−１７８８２３号公報
【発明の概要】
【発明が解決しようとする課題】
【０００６】
前記特許文献１の複合針は、内針をロックさせるために筒状キャップを前進させると、筒状キャップの先端部が縮径して内針を締め付け固定するので、内針を締め付け固定た状態でさらに前進し、その結果内針も前進することになる。例えば脊髄麻酔において、内針をロックするときに内針が前進してしまい、神経組織に損傷を与えてしまう等のおそれがある。【０００７】
本発明は、内針をロックさせるためにキャップを前進させた場合、内針が前進するおそれのない複合針を開発することを課題とするものである。
【課題を解決するための手段】
【０００８】
本発明は、基端に筒状基部を有する外針と、該筒状基部の後端から挿入して前記外針の先端部から突出させる内針を有する複合針において、
内針を挿通する挿通孔が軸方向に形成された筒状をなし、その軸方向中間部の外周面に形成されたフランジ部よりも前方の挿入部が前記筒状基部に後方から挿入され、後端部に、後側ほど外径が小さくなるテーパ面と、筒壁が軸方向に切断されたスリットを有するロック部材と、
筒状をなし、前端部内周面に前記筒状基部の後端部外周面に形成された螺条と螺合する螺条が形成され、後端部に内針を挿通する挿通孔を有すると共に、前記ロック部材のテーパ面に対応するテーパ面が形成されたテーパ凹部を有するキャップを有し、
前記キャップを回して先端側に進出させると、前記ロック部材のテーパ面が前記キャップのテーパ凹部に入り込んで該テーパ面が形成されている部分の挿通孔を縮径し挿通した内針を締め付けてロックし、前記キャップを反対方向に回して後退させると、前記キャップのテーパ凹部が前記ロック部材のテーパ面に対して後退して前記ロック部材の挿通孔が拡径し内針のロックが解除されることを特徴とする複合針である。（請求項１）【０００９】
内針をロックするためにキャップを前進させると、ロック部材のテーパ面が縮径して内針を締め付け固定するが、ロック部材はフランジ部が筒状基部の後端面に当接して前進することがないので、内針が意に反して前進してしまうことがない。【００１０】
本発明において、前記ロック部材の挿入部の外周面と、前記筒状基部の前記挿入部が挿入される内周面を、共に、前側ほど径が小さくなるテーパ状とすることができる。（請求項２）
このようにすることで、ロック部材の挿入部を筒状基部の後端部に容易に挿入することができる。【００１１】
また、本発明において、前記スリットを前記フランジ部にも形成することができる。（請求項３）
このようにすることで、内針をロックするためにキャップを前進させたときロック部材のテーパ面が容易に縮径され、内針を確実に締め付け固定できる。
【発明の効果】
【００１２】
本発明の複合針は、内針を外針に対して任意のところで固定（ロック）できるので、患者の体の動きや、内針の基端に注射筒を接続する作業によって、内針先端の位置がずれてしまうことがない。また、内針をロックするためにキャップを前進させると、ロック部材のテーパ面が縮径して内針を締め付け固定するが、ロック部材はフランジ部が筒状基部の後端面に当接して前進することがないので、内針が意に反して前進してしまうことがないので、神経組織などを傷つけるおそれがなく、確実に所定の部分に薬液を注入できる。
【図面の簡単な説明】
【００１３】
【図１】実施例の複合針１の平面図である。
【図２】複合針１を軸方向に縦断した要部断面図である。
【図３】内針を取り外した複合針１の背面図である。
【図４】ロック部材７の側面図及び背面図である。
【図５】キャップ４を前進させた状態の断面説明図である。
【発明を実施するための形態】
【実施例】
【００１４】
以下、実施例を表した図面に基づいて本発明を詳細に説明する。
実施例の複合針１は、外針２と内針５を有する。外針２の基端には筒状基部３が固定されている。外針２及び筒状基部３には、その軸方向全体にわたって内針５が挿通される挿通孔が形成されている。筒状基部３はプラスチック製で、図２に示すように、円筒状の後端部の外周面に螺条３ａを有し、これはキャップ４の先端部内周面の螺条４ａと螺合する。後端部の中にはロック部材７の挿入部７ａが挿入される。当該部分の内周面３ｂは前側ほど内径が小さくなるようなテーパ状となっている。筒状基部３のやや前よりの中間部には羽根３ｃが固定されている。外針を穿刺する際、キャップを回して内針を固定する際など、羽根を摘んで作業することで、容易かつ確実にこれらの作業を行うことができる。【００１５】
ロック部材７はプラスチック製で、概略円筒状をなしており、軸方向に内針が挿通する挿通孔７ｅが形成されている。軸方向の中間部には、環状に膨出したフランジ部７ｂが形成され、それよりも前方が筒状基部３の後端部内に挿入される挿入部７ａとなっている。挿入部７ａの外周面は筒状基部３の内周面３ｂと対応して、前側ほど外径が小さくなるテーパ状となっている。挿入部７ａを筒状基部３の後端部に挿入すると、フランジ部７ｂが筒状基部３の後端面に当接してロック部材７が位置決めされる。ロック部材７の後端部には、後側ほど外径が小さくなるテーパ面７ｃが形成され、さらに、筒壁が軸方向に切断された３本のスリット７ｄが形成されている。スリット７ｄは、さらに前方に延びていて、フランジ部７ｂ及び挿入部７ａの一部に至っている。スリットの本数や長さは、テーパ面７ｃの部分の挿通孔が充分縮径して内針を確実に締め付け固定できるように、適宜設計される。【００１６】
キャップ４はプラスチック製で概略円筒状をなし、前端部の内周面に筒状基部３の後端部外周面に形成された螺条３ａと螺合する螺条４ａが形成されている。後端部には、内針５を挿通する挿通孔４ｃを有すると共に、ロック部材７のテーパ面７ｃに対応する後側ほど内径が小さくなるテーパ面が形成されたテーパ凹部４ｂを有する。【００１７】
キャップ４を筒状基部３に対して回転させて前進させると、図５に示されるように、テーパ凹部４ｂのテーパ面がロック部材７のテーパ面７ｃに対して滑りながら前進するので、テーパ面７ｃが縮径するように内側に移動し、これに伴ってテーパ面７ｃが形成されている部分の挿通孔７ｅが縮径する。
図５は内針が挿通されていない状態を示しているが、内針が挿通されていると、テーパ面７ｃが形成されている部分の挿通孔７ｅが適度に縮径し、内針が縮径した挿通孔７ｅによって締め付け固定され、ロック状態となる。【００１８】
ロック状態から、キャップ４を逆方向に回転して後退させると、テーパ凹部４ｂのテーパ面がロック部材７のテーパ面７ｃに対して滑りながら後退するので、テーパ面７ｃがその弾性により拡径するように外側に移動して復帰し、挿通孔７ｅによる締め付け固定が解除され、内針がアンロック状態となる。【００１９】
次に複合針１の使用方法について説明する。まず、外針２のみ（ロック部材７、キャップ４はすでに装着されている）を患者の体内に差し込む。この場合、針先端の穴を塞ぐスタイレット（図示せず）を使用すると患者の組織の損傷を低減できるのは従来と同様である。次ぎに（スタイレットを使用した場合はこれを取り除き）、内針５をキャップ４の後端側の挿通孔４ｃから挿通し、その針先を患者の体内の所定の位置まで進入させる。内針５を挿通するときも、内針の先端の穴を塞ぐスタイレット（図示せず）を使用できるのは従来と同様である。
次にキャップ４を回転させて内針５を外針２に対して固定する。このとき内針５が前進してしまうおそれがない。そして、スタイレットを使用した場合にはこれを取り除き、内針５の基端側の内針基部６に注射筒（図示せず）を接続し薬液を体内に注入する。注入が完了すると、ロックされたままの内針を外針と一緒に抜き取っても良いし、キャップ４を回転させて内針５のロックを解除し、内針５を外針２から抜き取り、最後に外針２を体内から抜き取るようにしても良い。【００２０】
本発明の複合針は実施例に限るものではなく、特許請求の範囲に記載された範囲内において、種々の変形を加えることができるのはもちろんである。
【符号の説明】
【００２１】
１  複合針
２  外針
３  筒状基部
３ａ  螺条
３ｂ  内周面
３ｃ  羽根
４  キャップ
４ａ  螺条
４ｂ  テーパ凹部
４ｃ  挿通孔
５  内針
６  内針基部
７  ロック部材
７ａ  挿入部
７ｂ  フランジ部
７ｃ  テーパ面
７ｄ  スリット
７ｅ  挿通孔
【図１】
2010116493.tif 000003
【図２】
2010116493.tif 000004
【図３】
2010116493.tif 000005
【図４】
2010116493.tif 000006
【図５】
2010116493.tif 000007
【手続補正書】
【提出日】平成22年1月22日(2010.1.22)
【手続補正１】
【補正対象書類名】特許請求の範囲
【補正対象項目名】請求項１
【補正方法】変更
【補正の内容】
【請求項１】
基端に筒状基部を有する外針と、該筒状基部の後端から挿入して前記外針の先端部から突出させる内針を有する複合針において、
内針を挿通する挿通孔が軸方向に形成された筒状をなし、その軸方向中間部の外周面に形成されたフランジ部よりも前方の挿入部が前記筒状基部に後方から挿入され、後端部に、後側ほど外径が小さくなるテーパ面と、筒壁が軸方向に切断されたスリットを有するロック部材と、
筒状をなし、前端部内周面に前記筒状基部の後端部外周面に形成された螺条と螺合する螺条が形成され、後端部に内針を挿通する挿通孔を有すると共に、前記ロック部材のテーパ面に対応するテーパ面が形成されたテーパ凹部を有するキャップを有し、
前記キャップを回して先端側に進出させると、前記ロック部材はフランジ部が筒状基部の後端面に当接して前進することなく、前記ロック部材のテーパ面が前記キャップのテーパ凹部に入り込んで該テーパ面が形成されている部分の挿通孔を縮径し挿通した内針を締め付けてロックし、前記キャップを反対方向に回して後退させると、前記キャップのテーパ凹部が前記ロック部材のテーパ面に対して後退して前記ロック部材の挿通孔が拡径し内針のロックが解除されることを特徴とする複合針。
【手続補正２】
【補正対象書類名】明細書
【補正対象項目名】０００６
【補正方法】変更
【補正の内容】
【０００６】
前記特許文献１の複合針は、内針をロックさせるために筒状キャップを前進させると、筒状キャップの先端部が縮径して内針を締め付け固定するので、内針を締め付け固定した状態でさらに前進し、その結果内針も前進することになる。例えば脊髄麻酔において、内針をロックするときに内針が前進してしまい、神経組織に損傷を与えてしまう等のおそれがある。
【手続補正３】
【補正対象書類名】明細書
【補正対象項目名】０００８
【補正方法】変更
【補正の内容】
【０００８】
本発明は、基端に筒状基部を有する外針と、該筒状基部の後端から挿入して前記外針の先端部から突出させる内針を有する複合針において、
内針を挿通する挿通孔が軸方向に形成された筒状をなし、その軸方向中間部の外周面に形成されたフランジ部よりも前方の挿入部が前記筒状基部に後方から挿入され、後端部に、後側ほど外径が小さくなるテーパ面と、筒壁が軸方向に切断されたスリットを有するロック部材と、
筒状をなし、前端部内周面に前記筒状基部の後端部外周面に形成された螺条と螺合する螺条が形成され、後端部に内針を挿通する挿通孔を有すると共に、前記ロック部材のテーパ面に対応するテーパ面が形成されたテーパ凹部を有するキャップを有し、
前記キャップを回して先端側に進出させると、前記ロック部材はフランジ部が筒状基部の後端面に当接して前進することなく、前記ロック部材のテーパ面が前記キャップのテーパ凹部に入り込んで該テーパ面が形成されている部分の挿通孔を縮径し挿通した内針を締め付けてロックし、前記キャップを反対方向に回して後退させると、前記キャップのテーパ凹部が前記ロック部材のテーパ面に対して後退して前記ロック部材の挿通孔が拡径し内針のロックが解除されることを特徴とする複合針である。（請求項１）
【手続補正書】
【提出日】平成22年5月13日(2010.5.13)
【手続補正１】
【補正対象書類名】特許請求の範囲
【補正対象項目名】請求項１
【補正方法】変更
【補正の内容】
【請求項１】
基端に筒状基部を有する外針と、該筒状基部の後端から挿入して前記外針の先端部から突出させる内針を有する複合針において、
内針を挿通する挿通孔が軸方向に形成された筒状をなし、その軸方向中間部の外周面に形成されたフランジ部よりも前方の挿入部が前記筒状基部に後方から挿入され、後端部に、後側ほど外径が小さくなるテーパ面と、筒壁が軸方向に切断されたスリットを有するロック部材と、
筒状をなし、前端部内周面に前記筒状基部の後端部外周面に形成された螺条と螺合する螺条が形成され、後端部に内針を挿通する挿通孔を有すると共に、前記ロック部材のテーパ面に対応するテーパ面が形成されたテーパ凹部を有するキャップを有し、
前記キャップを回して先端側に進出させると、前記ロック部材はフランジ部の軸方向に垂直な面が筒状基部の後端面に当接して前進することなく、前記ロック部材のテーパ面が前記キャップのテーパ凹部に入り込んで該テーパ面が形成されている部分の挿通孔を縮径し挿通した内針を締め付けてロックし、前記キャップを反対方向に回して後退させると、前記キャップのテーパ凹部が前記ロック部材のテーパ面に対して後退して前記ロック部材の挿通孔が拡径し内針のロックが解除されることを特徴とする複合針。
【手続補正２】
【補正対象書類名】明細書
【補正対象項目名】０００８
【補正方法】変更
【補正の内容】
【０００８】
本発明は、基端に筒状基部を有する外針と、該筒状基部の後端から挿入して前記外針の先端部から突出させる内針を有する複合針において、
内針を挿通する挿通孔が軸方向に形成された筒状をなし、その軸方向中間部の外周面に形成されたフランジ部よりも前方の挿入部が前記筒状基部に後方から挿入され、後端部に、後側ほど外径が小さくなるテーパ面と、筒壁が軸方向に切断されたスリットを有するロック部材と、
筒状をなし、前端部内周面に前記筒状基部の後端部外周面に形成された螺条と螺合する螺条が形成され、後端部に内針を挿通する挿通孔を有すると共に、前記ロック部材のテーパ面に対応するテーパ面が形成されたテーパ凹部を有するキャップを有し、
前記キャップを回して先端側に進出させると、前記ロック部材はフランジ部の軸方向に垂直な面が筒状基部の後端面に当接して前進することなく、前記ロック部材のテーパ面が前記キャップのテーパ凹部に入り込んで該テーパ面が形成されている部分の挿通孔を縮径し挿通した内針を締め付けてロックし、前記キャップを反対方向に回して後退させると、前記キャップのテーパ凹部が前記ロック部材のテーパ面に対して後退して前記ロック部材の挿通孔が拡径し内針のロックが解除されることを特徴とする複合針である。（請求項１）
【国際調査報告】
2010116493.tif 000008
2010116493.tif 000009
2010116493.tif 000010
2010116493.tif 000011